(57)【特許請求の範囲】
【請求項１】
無線リソース制御（ＲＲＣ）非アクティブ状態にある端末がページングされる必要があるとき、第１のアクセスネットワークデバイスによって、前記第１のアクセスネットワークデバイスについてのものであり、かつ前記ＲＲＣ非アクティブ状態にある前記端末の無線ネットワークエリアに対応するセルにおいて、前記端末をページングするための第１のページングメッセージを送るステップと、
前記第１のアクセスネットワークデバイスによって、第２のアクセスネットワークデバイスに対し、前記端末をページングすることを要求するためのページング要求メッセージを送るステップであって、前記第２のアクセスネットワークデバイスは、前記無線ネットワークエリアに対応するアクセスネットワークデバイスのうちの前記第１のアクセスネットワークデバイス以外のアクセスネットワークデバイスである、ステップと、
前記第１のアクセスネットワークデバイスが、所定の時間期間内に、前記端末からのページング応答、又は、前記端末が接続状態に入ることを示す前記第２のアクセスネットワークデバイスからの通知を受信しない場合、前記第１のアクセスネットワークデバイスによって、コアネットワークデバイスに対してメッセージを送るステップであって、前記コアネットワークデバイスへの前記メッセージは、前記端末の前記第１のアクセスネットワークデバイスと前記コアネットワークデバイスとの間の接続を解放するように前記コアネットワークデバイスに対して要求するために使用される、ステップと、を含む
ことを特徴とする、通信方法。
【請求項２】
セルセットに関する情報が前記ページング要求メッセージに含まれるとき、前記ページング要求メッセージは、前記第２のアクセスネットワークデバイスの前記セルセットにおける前記セル内の前記端末をページングするための第２のページングメッセージを送るように前記第２のアクセスネットワークデバイスに指示するために使用される、
請求項１に記載の方法。
【請求項３】
前記方法は、
前記第１のアクセスネットワークデバイスによって、前記コアネットワークデバイスへの前記メッセージに対応する、前記コアネットワークデバイスからの応答メッセージを受信するステップであって、前記応答メッセージは、前記端末の前記第１のアクセスネットワークデバイスと前記コアネットワークデバイスとの間の接続が解放されたことを示す、ステップと、
前記第１のアクセスネットワークデバイスによって、前記端末のコンテキストを解放するステップと、
前記第１のアクセスネットワークデバイスによって、前記第２のアクセスネットワークデバイスに対し、前記端末の前記コンテキストを解放するための通知を送るステップと、
をさらに含む
請求項１又は２に記載の方法。
【請求項４】
前記コアネットワークデバイスへの前記メッセージは原因値を含み、前記原因値は、無線アクセスネットワークページングの失敗を示す、
請求項１〜３のいずれか１項に記載の方法。
【請求項５】
第１のアクセスネットワークデバイスが所定の時間期間内に、無線リソース制御（ＲＲＣ）非アクティブ状態にある端末からのページング応答、又は、前記端末が接続状態に入ることを示す、第２のアクセスネットワークデバイスからの通知を受信しない場合、コアネットワークデバイスによって、前記第１のアクセスネットワークデバイスからメッセージを受信するステップであって、前記コアネットワークデバイスへの前記メッセージは、前記コアネットワークデバイスに対して、前記第１のアクセスネットワークデバイスとコアネットワークとの間の接続を解放するように要求するために使用される、ステップと、
前記コアネットワークデバイスによって、前記接続を解放するステップと、
を含むことを特徴とする、通信方法。
【請求項６】
前記メッセージは、原因値を含み、前記原因値は、無線アクセルネットワークページングの失敗を示す
請求項５に記載の方法。
【請求項７】
請求項１〜４のいずれか１項に記載の前記方法を実行するように構成された、第１のアクセスネットワークデバイス。
【請求項８】
請求項５又は６に記載の前記方法を実行するように構成された、コアネットワークデバイス。
【請求項９】
請求項７に記載の第１のアクセスネットワークデバイスと、請求項８に記載のコアネットワークデバイスとを含むことを特徴とする、通信システム。
【請求項１０】
コンピュータ可読記録媒体であって、前記コンピュータ可読記録媒体は、命令を格納し、前記命令が実行されたときに、前記命令は、装置に請求項１〜４のいずれか１項に記載の前記方法を実行させる、コンピュータ可読記録媒体。
【請求項１１】
コンピュータ可読記録媒体であって、前記コンピュータ可読記録媒体は、命令を格納し、前記命令が実行されたときに、前記命令は、装置に請求項５又は６に記載の前記方法を実行させる、コンピュータ可読記録媒体。
【請求項１２】
コンピュータに、請求項１〜４のいずれか１項に記載の前記方法を実行させる、プログラム。
【請求項１３】
コンピュータに、請求項５又は６に記載の前記方法を実行させる、プログラム。
【発明の詳細な説明】
【技術分野】
【０００１】
本出願は、それの全体が参照により本明細書に組み込まれる、２０１７年１月５日に中国国家知識産権で出願され「ＣＯＭＭＵＮＩＣＡＴＩＯＮ  ＭＥＴＨＯＤ，  ＡＣＣＥＳＳ  ＮＥＴＷＯＲＫ  ＤＥＶＩＣＥ，  ＡＮＤ  ＴＥＲＭＩＮＡＬ」と題する中国特許出願第２０１７１０００７０２２．４号の優先権を主張する。
【０００２】
本出願の実施形態は、通信分野に関し、より詳細には、通信方法、アクセスネットワークデバイス、及び端末に関する。
【背景技術】
【０００３】
増大するトラフィック要件及び様々な要件のサービスを満たすために、３ＧＰＰ標準化団体は現在、次世代モバイル通信システムのための規格を開発している。非アクティブ状態（ｉｎａｃｔｉｖｅ  ｓｔａｔｅ）は、新たに導入された無線リソース制御（ＲＲＣ）状態であり、この状態は、以下で「ＲＲＣ非アクティブ状態」又は「非アクティブ状態」と呼ばれる。アイドル状態におけるように、非アクティブ状態では、端末とネットワークとの間のＲＲＣ接続が切断され、端末はダウンリンクデータを受信する必要がなく、アイドル状態におけるのと同じ節電効果を達成する。アイドル状態におけるとは異なり、非アクティブ状態では、端末が接続状態に入る必要があるとき、例えば、端末が、送られる必要があるアップリンクデータを有するか、又はネットワークが、接続状態に入るように端末をページングしたとき、端末は、端末の保存されたコンテキストに基づいて接続状態を復元することができる。ネットワーク側上で、端末によって要求されたアクセスネットワークデバイスは、端末の元のサービングアクセスネットワークデバイスに端末のコンテキストを要求し、それにより、アクセスネットワークデバイスも端末のコンテキストを取得し、そのコンテキストに基づいて端末への接続を復元することができる。
【０００４】
次世代モバイル通信システムはより高い遅延要件を有しており、端末がＲＲＣ非アクティブ状態からＲＲＣ接続状態に復元するための時間をいかに低減するかが、喫緊に解決される必要がある技術的問題となっている。
【発明の概要】
【０００５】
本出願の実施形態は、端末がＲＲＣ非アクティブ状態からＲＲＣ接続状態に復元するための時間を低減するための、通信方法、アクセスネットワークデバイス、及び端末を提供する。
【０００６】
第１の態様によれば、
第１のアクセスネットワークデバイスによって、端末が無線リソース制御ＲＲＣ非アクティブ状態に入る必要があることを決定するステップであって、第１のアクセスネットワークデバイスは端末のサービングアクセスネットワークデバイスである、ステップと、
第１のアクセスネットワークデバイスによって、第２のアクセスネットワークデバイスに第１のメッセージを送るステップであって、第１のメッセージは端末のコンテキストを含む、ステップと、
第１のアクセスネットワークデバイスによって、端末に第２のメッセージを送るステップであって、第２のメッセージは、ＲＲＣ非アクティブ状態に入るように端末に命令するために使用される、ステップと
を含む、通信方法が提供される。
【０００７】
本出願のこの実施形態では、端末がＲＲＣ非アクティブ状態に入る必要があることを決定したとき、第１のアクセスネットワークデバイスは、第２のアクセスネットワークデバイスに端末のコンテキストを送る。このようにして、端末が、第２のアクセスネットワークデバイスに、ＲＲＣ非アクティブ状態に復元されることを要求したとき、第２のアクセスネットワークデバイスは、もはや第１のアクセスネットワークデバイスから端末のコンテキストを取得する必要がなく、それゆえに、ＲＲＣ非アクティブ状態からＲＲＣ接続状態に端末を復元するための時間が低減されることができ、そのうえ、データ送信遅延が低減されることができる。
【０００８】
いくつかの可能な実装では、第２のメッセージは、ＲＲＣ非アクティブ状態における端末の無線ネットワークエリアに関する情報を含む。
【０００９】
いくつかの可能な実装では、無線ネットワークエリアは、端末がＲＲＣ非アクティブ状態において無線ネットワークエリア中のセルを再選択したとき、ネットワークを通知しないために使用されるか、又は無線ネットワークエリアは、端末が無線ネットワークエリア外のセルを再選択したとき、ネットワークを通知するために使用される。
【００１０】
いくつかの可能な実装では、無線ネットワークエリアは第１のセルセットを含む。
【００１１】
本方法は、
第１のアクセスネットワークデバイスによって、第１のメッセージについてのものであり、かつ第２のアクセスネットワークデバイスによって送られる第１の応答メッセージを受信するステップであって、第１の応答メッセージは第２のセルセットに関する情報を含み、第２のセルセットは、第２のアクセスネットワークデバイスについての１つ又は複数のセルを含むセットである、ステップと、
第１のアクセスネットワークデバイスによって、第２のセルセットに基づいて第１のセルセットを判定するステップであって、第１のセルセットは第２のセルセットを含む、ステップとをさらに含む。
【００１２】
いくつかの可能な実装では、無線ネットワークエリアは第１のアクセスネットワークデバイスセットを含む。
【００１３】
本方法は、
第１のアクセスネットワークデバイスによって、第１のメッセージについてのものであり、かつ第２のアクセスネットワークデバイスによって送られる第２の応答メッセージを受信するステップであって、第２の応答メッセージは、第２のアクセスネットワークデバイスが無線ネットワークエリアに加わることを許容するか又は拒否することを示す、ステップと、
第１のアクセスネットワークデバイスによって、第２の応答メッセージに基づいて第１のアクセスネットワークデバイスセットを判定するステップであって、第１のアクセスネットワークデバイスセットは、無線ネットワークエリアに加わることを許容する少なくとも１つの第２のアクセスネットワークデバイスを含む、ステップとをさらに含む。
【００１４】
判定された無線ネットワークエリア中に含まれるセルは、第２のアクセスネットワークデバイスによって許容されたセルである。これは、端末が復元されることに失敗する確率を低減することができる。
【００１５】
いくつかの可能な実装では、端末のコンテキストは、端末と第２のアクセスネットワークデバイスとの間の通信のキー情報を含み、キー情報は、第２のアクセスネットワークデバイスの識別子に基づいて生成されたキー、又はランダム値に基づいて生成されたキー、又は第２のアクセスネットワークデバイスの１つ又は複数のセルについての１つのセル識別又は複数のセル識別に基づいて生成された１つ又は複数のキーを含む。
【００１６】
いくつかの可能な実装では、第１のメッセージは第３のセルセットをさらに含み、第３のセルセットは、第２のアクセスネットワークデバイスについてのものであり、かつ、許容されるようにすることを第１のアクセスネットワークデバイスが要求する１つ又は複数のセルのセットである。
【００１７】
いくつかの可能な実装では、第１のメッセージは第１の有効期間情報をさらに含み、第１の有効期間情報は、端末のコンテキストの有効期間を示す。
【００１８】
いくつかの可能な実装では、第１のメッセージは、端末と第１のアクセスネットワークデバイスとの間のキーに基づいて生成された認証コードをさらに含み、認証コードは、端末が第２のアクセスネットワークデバイスにアクセスするとき、端末を識別するか又は端末を認証するために第２のアクセスネットワークデバイスによって使用される。
【００１９】
いくつかの可能な実装では、第２のメッセージは信号強度閾値をさらに含み、信号強度閾値は、無線ネットワークエリア中のセルの信号強度が信号強度閾値以上であるとき、無線ネットワークエリアにおいてセル交換を実施するために端末によって使用される。
【００２０】
いくつかの可能な実装では、信号強度閾値は、均一な閾値であり得るか、又はセルレベル閾値であり得、例えば、閾値は、いくつかのセルのために構成され得る。
【００２１】
いくつかの可能な実装では、第２のメッセージは第２の有効期間情報をさらに含み、第２の有効期間情報は、端末がその間にＲＲＣ接続状態に復元されることができる有効期間を示す。
【００２２】
いくつかの可能な実装では、有効期間の後に、端末は、もはや復元されることができないか、又は保存されたコンテキストを削除し、アイドル状態に入る必要がある。端末が接続状態に入る必要があるとき、端末は、初期アクセスを開始し、初期アクセスを開始する方式で接続状態に入ることができる。
【００２３】
いくつかの可能な実装では、第２のメッセージは、キーを生成するために使用されるランダム値をさらに含む。
【００２４】
いくつかの可能な実装では、第１のメッセージは、全ての第２のアクセスネットワークデバイスのリストをさらに含み得る。
【００２５】
いくつかの可能な実装では、アクセスネットワークデバイスはＣＵ及びＤＵを含み得る。アクセスネットワークデバイスによって端末に送られる、ＲＲＣシグナリングなどのメッセージは、ＣＵによって生成されてもよく、ＤＵを通して端末に送られるか、又はＤＵによって生成された直後に端末に送られる。
【００２６】
いくつかの可能な実装では、本方法は、
第１のアクセスネットワークデバイスによって、端末が接続状態に入ることを示す通知メッセージを受信するステップと、
第１のアクセスネットワークデバイスによって、端末のコンテキストを解放するステップとをさらに含む。
【００２７】
いくつかの可能な実装では、本方法は、
第１のアクセスネットワークデバイスによって、ＲＲＣ非アクティブ状態における端末の無線ネットワークエリアに対応するアクセスネットワークデバイス中の第１のアクセスネットワークデバイス以外のアクセスネットワークデバイスに、端末のコンテキストを解放するための通知を送るステップをさらに含む。
【００２８】
いくつかの可能な実装では、本方法は、
ＲＲＣ非アクティブ状態における端末がページングされる必要があるとき、第１のアクセスネットワークデバイスについてのものであり、かつＲＲＣ非アクティブ状態における端末の無線ネットワークエリアに対応するセルにおける第１のアクセスネットワークデバイスによって、端末をページングするための第１のページングメッセージを送るステップと、
第１のアクセスネットワークデバイスによって第３のアクセスネットワークデバイスに、端末をページングすることを要求するためのページング要求メッセージを送るステップであって、第３のアクセスネットワークデバイスは、無線ネットワークエリアに対応するアクセスネットワークデバイス中の第１のアクセスネットワークデバイス以外のアクセスネットワークデバイスである、ステップとをさらに含む。
【００２９】
いくつかの可能な実装では、ページング要求メッセージは、第４のセルセットに関する情報を含み、第４のセルセット中の全てのセル中で、端末をページングするための第２のページングメッセージを送るように第３のアクセスネットワークデバイスに命令するために使用され、第４のセルセットは、無線ネットワークエリア中に含まれ、第３のアクセスネットワークデバイスについてのセルのセットである。
【００３０】
いくつかの可能な実装では、本方法は、
第１のアクセスネットワークデバイスが、所定の時間期間内に、端末によって送られたページング応答、又は端末が接続状態に入ることを示し、第３のアクセスネットワークデバイスによって送られた通知を受信しない場合、第１のアクセスネットワークデバイスによって、コアネットワークデバイスに第３のメッセージを送るステップであって、第３のメッセージは、端末のアクセスネットワークとコアネットワークとの間の接続を解放することをコアネットワークデバイスに要求するために使用される、ステップをさらに含む。
【００３１】
上記の方式で端末のアクセスネットワークとコアネットワークとの間の接続を解放することによって、端末をページングするためのページングは、コアネットワークによってより広い範囲でトリガされてもよく、それにより、端末は容易にページングされることができる。
【００３２】
いくつかの可能な実装では、本方法は、
第１のアクセスネットワークデバイスによって、第３のメッセージについてのものであり、かつコアネットワークデバイスによって送られる応答メッセージを受信するステップであって、第３のメッセージの応答メッセージは、端末のアクセスネットワークとコアネットワークとの間の接続が解放されたことを示す、ステップと、
第１のアクセスネットワークデバイスによって、端末のコンテキストを解放するステップと、
第１のアクセスネットワークデバイスによって、第３のアクセスネットワークデバイスに、端末のコンテキストを解放するための通知を送るステップとをさらに含む。
【００３３】
いくつかの可能な実装では、各アクセスネットワークデバイスは、端末のコンテキストの有効期間に基づいてタイマーを設定し得る。タイマーが満了する前に、端末の復元要求が受信されないか、又は別のアクセスネットワークデバイスによって送られた、端末が接続状態に入ることを示すか、若しくは端末のコンテキストを解放するために使用される通知が受信されないか、又は通知なしの場合、端末のコンテキストは、タイマーが満了したときに解放される。
【００３４】
適時に端末のコンテキストを解放することは、アクセスネットワークデバイスへの負荷を低減することができる。
【００３５】
第２の態様によれば、
第２のアクセスネットワークデバイスによって、第１のアクセスネットワークデバイスによって送られた第１のメッセージを受信するステップであって、第１のメッセージは端末のコンテキストを含み、第１のアクセスネットワークデバイスは端末のサービングアクセスネットワークデバイスである、ステップと、
第２のアクセスネットワークデバイスによって、端末によって送られた第４のメッセージを受信するステップであって、第４のメッセージは、無線リソース制御ＲＲＣ非アクティブ状態からＲＲＣ接続状態への復元を要求するために使用される、ステップと、
第２のアクセスネットワークデバイスによって、端末のコンテキストに基づいて無線リソース制御ＲＲＣ非アクティブ状態からＲＲＣ接続状態に端末を復元するステップと
を含む、通信方法が提供される。
【００３６】
本出願のこの実施形態では、第２のアクセスネットワークデバイスは、事前に第１のアクセスネットワークデバイスから端末のコンテキストを取得する。このようにして、端末が、第２のアクセスネットワークデバイスに、ＲＲＣ非アクティブ状態に復元されることを要求したとき、第２のアクセスネットワークデバイスは、もはや第１のアクセスネットワークデバイスから端末のコンテキストを取得する必要がなく、それゆえに、ＲＲＣ非アクティブ状態からＲＲＣ接続状態に端末を復元するための時間が低減されることができ、そのうえ、データ送信遅延が低減されることができる。
【００３７】
いくつかの可能な実装では、本方法は、
第２のアクセスネットワークデバイスによって、第２のセルセットを判定するステップであって、第２のセルセットは、第２のアクセスネットワークデバイスによって許容され、ＲＲＣ非アクティブ状態における端末の無線ネットワークエリアに対応し、第２のアクセスネットワークデバイスのものであるセルのセットである、ステップと、
第２のアクセスネットワークデバイスによって、第１のアクセスネットワークデバイスに第１のメッセージの第１の応答メッセージを送るステップであって、第１の応答メッセージは第２のセルセットを含む、ステップと
をさらに含む。
【００３８】
いくつかの可能な実装では、本方法は、
第２のアクセスネットワークデバイスによって、第１のアクセスネットワークデバイスに、端末が接続状態に入ることを示す通知を送るステップ
をさらに含む。
【００３９】
いくつかの可能な実装では、本方法は、
第２のアクセスネットワークデバイスによって、ＲＲＣ非アクティブ状態における端末の無線ネットワークエリアに対応するアクセスネットワークデバイス中の第２のアクセスネットワークデバイス以外のアクセスネットワークデバイスに、端末のコンテキストを解放するための通知を送るステップをさらに含む。
【００４０】
いくつかの可能な実装では、第２のアクセスネットワークデバイスによって、端末によって送られた第４のメッセージを受信するステップの前に、本方法は、
第２のアクセスネットワークデバイスによって、第１のアクセスネットワークデバイスによって送られ、端末をページングすることを要求するために使用されるページング要求メッセージを受信する、ステップと、
第２のアクセスネットワークデバイスによってページング要求メッセージに基づいて、端末をページングするための第２のページングメッセージを送るステップと
をさらに含む。
【００４１】
いくつかの可能な実装では、ページング要求メッセージは、第２のアクセスネットワークデバイスについてのものであり、かつＲＲＣ非アクティブ状態における端末の無線ネットワークエリアに対応するセルに関する情報を含む。
【００４２】
いくつかの可能な実装では、第２のアクセスネットワークデバイスによってページング要求メッセージに基づいて、端末をページングするための第２のページングメッセージを送るステップは、
【００４３】
第２のアクセスネットワークデバイスによって、第２のアクセスネットワークデバイスについてのものであり、かつＲＲＣ非アクティブ状態における端末の無線ネットワークエリアに対応するセルにおいて第２のページングメッセージを送るステップを含む。
【００４４】
第２のアクセスネットワークデバイスについてのものであり、かつ無線ネットワークエリアに対応するセルにおいてのみページングメッセージを送ることは、より正確なページングを実現し、エアインターフェースリソースを保存することができる。
【００４５】
第３の態様によれば、
端末によって、第１のアクセスネットワークデバイスによって送られた第２のメッセージを受信するステップであって、第２のメッセージは、無線リソース制御ＲＲＣ非アクティブ状態に入るように端末に命令するために使用され、第２のメッセージは、ＲＲＣ非アクティブ状態における端末の無線ネットワークエリアを含み、第１のアクセスネットワークデバイスは端末のサービングアクセスネットワークデバイスであり、無線ネットワークエリアは、第２のアクセスネットワークデバイス又は第２のアクセスネットワークデバイスのセルを含み、第２のアクセスネットワークデバイスは、端末のコンテキストを受信するアクセスネットワークデバイスであり、端末のコンテキストは、ＲＲＣ非アクティブ状態からＲＲＣ接続状態に復元するために端末によって使用される、ステップと、
端末によって、第２のメッセージに基づいてＲＲＣ接続状態からＲＲＣ非アクティブ状態に入るステップと
を含む、通信方法が提供される。
【００４６】
いくつかの可能な実装では、第２のメッセージは信号強度閾値をさらに含む。
【００４７】
本方法は、
無線ネットワークエリア中のセルの信号強度が信号強度閾値以上であるとき、端末によって、無線ネットワークエリアにおいてセル交換を実施するステップをさらに含む。
【００４８】
いくつかの可能な実装では、第２のメッセージは第２の有効期間情報をさらに含み、第２の有効期間情報は、端末がその間にＲＲＣ接続状態に復元されることができる有効期間を示す。
【００４９】
いくつかの可能な実装では、有効期間の後に、端末は、端末が接続状態に入る必要があるとき、初期アクセスを開始して、初期アクセス方式で接続状態に入ることができる。
【００５０】
いくつかの可能な実装では、第２のメッセージは、キーを生成するために使用されるランダム値をさらに含む。
【００５１】
いくつかの可能な実装では、端末によって、第２のメッセージに基づいてＲＲＣ接続状態からＲＲＣ非アクティブ状態に入るステップは、
端末がＲＲＣ非アクティブ状態に入ったとき、端末によって、端末が元のＲＲＣ接続状態にあるときに端末が位置するセル中に残るステップを含む。
【００５２】
いくつかの可能な実装では、本方法は、
端末によって、第２のアクセスネットワークデバイスに第４のメッセージを送るステップであって、第４のメッセージは、ＲＲＣ非アクティブ状態からＲＲＣ接続状態への復元を要求するために使用される、ステップと、
端末によって端末のコンテキストに基づいて、第２のアクセスネットワークデバイスのセルにおいてＲＲＣ非アクティブ状態からＲＲＣ接続状態に復元するステップと
をさらに含む。
【００５３】
第４の態様によれば、第１の態様又は第１の態様の可能な実装のいずれか１つによる方法を実施するモジュールを含む、アクセスネットワークデバイスが提供される。
【００５４】
第５の態様によれば、第２の態様又は第２の態様の可能な実装のいずれか１つによる方法を実施するモジュールを含む、アクセスネットワークデバイスが提供される。
【００５５】
第６の態様によれば、第３の態様又は第３の態様の可能な実装のいずれか１つによる方法を実施するモジュールを含む、端末が提供される。
【００５６】
第７の態様によれば、アクセスネットワークデバイスが提供される。アクセスネットワークデバイスは、プロセッサ、メモリ、及び通信インターフェースを含む。プロセッサは、メモリ及び通信インターフェースに接続される。メモリは、命令を記憶するように構成され、プロセッサは、命令を実行するように構成され、通信インターフェースは、プロセッサの制御下で別のネットワーク要素と通信するように構成される。プロセッサがメモリに記憶された命令を実行したとき、実行は、プロセッサが、第１の態様若しくは第１の態様の可能な実装のいずれか１つによる、又は第２の態様若しくは第２の態様の可能な実装のいずれか１つによる方法を実施することを可能にする。
【００５７】
第８の態様によれば、端末が提供される。端末デバイスは、プロセッサ、メモリ、及び通信インターフェースを含む。プロセッサは、メモリ及び通信インターフェースに接続される。メモリは、命令を記憶するように構成され、プロセッサは、命令を実行するように構成され、通信インターフェースは、プロセッサの制御下で別のネットワーク要素と通信するように構成される。プロセッサがメモリに記憶された命令を実行したとき、実行は、プロセッサが、第３の態様又は第３の態様の可能な実装のいずれか１つによる方法を実施することを可能にする。
【００５８】
第９の態様によれば、コンピュータプログラムを記憶するように構成されたコンピュータ可読媒体が提供され、コンピュータプログラムは、第１の態様又は第１の態様の可能な実装のいずれか１つによる方法を実施するために使用される命令を含む。
【００５９】
第１０の態様によれば、コンピュータプログラムを記憶するように構成されたコンピュータ可読媒体が提供され、コンピュータプログラムは、第２の態様又は第２の態様の可能な実装のいずれか１つによる方法を実施するために使用される命令を含む。
【００６０】
第１１の態様によれば、コンピュータプログラムを記憶するように構成されたコンピュータ可読媒体が提供され、コンピュータプログラムは、第３の態様又は第３の態様の可能な実装のいずれか１つによる方法を実施するために使用される命令を含む。
【図面の簡単な説明】
【００６１】
【図１】本出願の一実施形態において適用されるネットワークの概略図である。
【図２】本出願の一実施形態による通信方法の概略フローチャートである。
【図３】本出願の別の実施形態による通信方法の概略フローチャートである。
【図４】本出願のさらに別の実施形態による通信方法の概略フローチャートである。
【図５】本出願のさらに別の実施形態による通信方法の概略フローチャートである。
【図６】本出願の一実施形態によるアクセスネットワークデバイスの概略ブロック図である。
【図７】本出願の別の実施形態によるアクセスネットワークデバイスの概略ブロック図である。
【図８】本出願の一実施形態による端末の概略ブロック図である。
【図９】本出願のさらに別の実施形態によるアクセスネットワークデバイスの概略構造図である。
【図１０】本出願の別の実施形態による端末の概略構造図である。
【発明を実施するための形態】
【００６２】
以下で、添付の図面を参照しながら本出願における実施形態の技術的解決策について説明する。
【００６３】
図１は、本出願の一実施形態において適用されるネットワークの概略図である。図１に示されているように、ネットワークは、アクセスネットワークデバイス１０１、アクセスネットワークデバイス１０２、及びアクセスネットワークデバイス１０３など、複数のアクセスネットワークデバイスを含み得る。端末１１１の現在のサービングアクセスネットワークデバイスはアクセスネットワークデバイス１０１である。アクセスネットワークデバイス１０１は、端末１１１のために、ＲＲＣ非アクティブ状態における端末１１１の無線ネットワークエリアを構成し得る。無線ネットワークエリアはＲＡＮベースの通知エリア（ＲＮＡ）と呼ばれることがある。アクセスネットワークデバイス１０１は、専用シグナリングを使用することによって端末１１１に無線ネットワークエリアに関する情報を配信し得る。無線ネットワークエリアは１つ又は複数のセルを含み得る。無線ネットワークエリアは、端末１１１がＲＲＣ非アクティブ状態において無線ネットワークエリア中のセルを再選択したとき、ネットワークを通知しない。言い換えれば、無線ネットワークエリアは、端末１１１が無線ネットワークエリア外のセルを再選択したとき、ネットワークを通知する。従って、ＲＲＣ非アクティブ状態に入っている端末１１１がページングされる必要があるとき、端末１１１は、無線ネットワークエリア中のセルにおいてページングされ得る。
【００６４】
図１は例としてただ１つの端末を使用することによって説明されているが、本出願のこの実施形態はそれに限定されないことを理解されたい。
【００６５】
本明細書では、実施形態は端末に関して説明される。端末は、端末デバイス、ユーザ機器（ＵＥ）、アクセス端末、加入者ユニット、加入者局、移動局、モバイルコンソール、リモート局、リモート端末、モバイルデバイス、ユーザ端末、ワイヤレス通信デバイス、ユーザエージェント、又はユーザ装置と呼ばれることもある。アクセス端末は、セルラーフォン、コードレスフォン、セッション開始プロトコル（ＳＩＰ）フォン、ワイヤレスローカルループ（ＷＬＬ）局、携帯情報端末（ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の端末デバイス、又は将来の発展型パブリックランドモバイルネットワーク（ＰＬＭＮ）中の端末デバイスなどであり得る。
【００６６】
本明細書では、実施形態はアクセスネットワークデバイスに関して説明される。アクセスネットワークデバイスはネットワークデバイスを指すこともある。ネットワークデバイスは、端末デバイスと通信するように構成されたデバイスであり得る。ネットワークデバイスは、ＧＳＭ若しくはＣＤＭＡにおける基地トランシーバ局（ＢＴＳ）であり得るか、ＷＣＤＭＡシステムにおけるノードＢ（ＮＢ）であり得るか、ＬＴＥシステムにおける発展型ノードＢ（ｅＮＢ、若しくはｅＮｏｄｅＢ）であり得るか、又はクラウド無線アクセスネットワーク（ＣＲＡＮ）シナリオにおけるワイヤレスコントローラであり得るか、又はネットワークデバイスは、リレー局、アクセスポイント、車載デバイス、ウェアラブルデバイス、将来の５Ｇネットワーク中のネットワークデバイス、若しくは将来の発展型ＰＬＭＮ中のネットワークデバイスであり得る。
【００６７】
本出願のこの実施形態では、ＲＲＣ非アクティブ状態からＲＲＣ接続状態に端末を復元するための時間を低減するために、端末のサービングアクセスネットワークデバイスは、事前に別のアクセスネットワークデバイスに端末のコンテキストを送る。このようにして、端末は、ＲＲＣ非アクティブ状態から別のアクセスネットワークデバイスのＲＲＣ接続状態に迅速に復元し、それにより、さらに遅延を低減し、シグナリングオーバーヘッドを省き得る。
【００６８】
図２は、本出願の一実施形態による通信方法の概略フローチャートである。図２では、第１のアクセスネットワークデバイスは端末のサービングアクセスネットワークデバイスであり、第２のアクセスネットワークデバイスは別のアクセスネットワークデバイスである。例えば、第２のアクセスネットワークデバイスは、第１のアクセスネットワークデバイスの隣接するアクセスネットワークデバイスであり得る。図２の第１のアクセスネットワークデバイス、第２のアクセスネットワークデバイス、及び端末は、それぞれ図１のアクセスネットワークデバイス１０１、アクセスネットワークデバイス１０２又は１０３、及び端末１１１であり得る。
【００６９】
２０１．第１のアクセスネットワークデバイスが、端末がＲＲＣ非アクティブ状態に入る必要があることを決定する。
【００７０】
特に、第１のアクセスネットワークデバイスは、端末のサービスステータスなどに基づいて、端末がＲＲＣ接続状態からＲＲＣ非アクティブ状態に入ることを可能にすることを判定し得る。例えば、端末がある時間期間にわたってサービスデータを送信しないこと、例えば、アップリンク及びダウンリンクデータを送信しないことが検出された場合、端末は、ＲＲＣ接続状態からＲＲＣ非アクティブ状態に入ることが許容されることができ、それにより、節電を達成する。本出願のこの実施形態では、第１のアクセスネットワークデバイスが、いつ端末がＲＲＣ非アクティブ状態に入ることを可能にするかに対して限定は課されないことが理解されよう。
【００７１】
２０２．第１のアクセスネットワークデバイスが第２のアクセスネットワークデバイスに第１のメッセージを送り、第１のメッセージが端末のコンテキストを含む。
【００７２】
端末のコンテキストは、ＲＲＣ非アクティブ状態からＲＲＣ接続状態に端末を復元するために使用される。
【００７３】
第１のアクセスネットワークデバイスは、事前に第２のアクセスネットワークデバイスに端末のコンテキストを送る。このようにして、その後、端末が、第２のアクセスネットワークデバイスに、ＲＲＣ接続状態に復元されることを要求した場合、第２のアクセスネットワークデバイスは、事前に取得された端末のコンテキストに基づいてＲＲＣ非アクティブ状態からＲＲＣ接続状態に端末を迅速に復元し得る。
【００７４】
ここで、第１のアクセスネットワークデバイスは、複数の隣接するアクセスネットワークデバイスに第１のメッセージを送り得ることに留意されたい。ここでの第２のアクセスネットワークデバイスは一般名にすぎず、１つのアクセスネットワークデバイスに限定されない。
【００７５】
端末のコンテキストは、例えば、端末能力、アプリケーションプロトコル識別子、サービングアクセスネットワークデバイス識別子、認証情報、ネゴシエートされたセキュリティアルゴリズム、生成されたキー、作成された接続情報、及びベアラ情報を含む。
【００７６】
任意選択で、本出願の一実施形態では、端末のコンテキストは、端末と第２のアクセスネットワークデバイスとの間の通信のキー情報を含み、キー情報は、第２のアクセスネットワークデバイスの識別子に基づいて生成されたキー、又はランダム値に基づいて生成されたキー、又は第２のアクセスネットワークデバイスの１つ又は複数のセルについての１つのセル識別又は複数のセル識別に基づいて生成された１つ又は複数のキーを含み得る。
【００７７】
特に、キー情報は、端末のための新しいキーを含む。新しいキーは、初期キー及び新たに追加される情報に基づいて第１のアクセスネットワークデバイスによって導出されることができる。例えば、初期キーは、端末と第１のアクセスネットワークデバイスとの間のキーであり得るか、又はネクストホップチェイニングカウント（ＮＣＣ）に基づいて導出されたネクストホップ（ＮＨ）などの別の基本キーであり得る。新たに追加される情報は、第２のアクセスネットワークデバイスの識別子、ランダム値、又は第２のアクセスネットワークデバイスのセルのセル識別を含み得る。新しいキーがセル識別に基づいて導出された場合、第２のアクセスネットワークデバイスの複数のセルの各々は１つのキーに対応するか、又は新しいキーが、例えば、ランダム値、若しくは第２のアクセスネットワークデバイスの識別子に基づいて導出された場合、第２のアクセスネットワークデバイスの複数のセルは、１つのキーを搬送する必要のみがある。
【００７８】
任意選択で、第１のアクセスネットワークデバイスは、最初に、ＲＲＣ非アクティブ状態における端末の無線ネットワークエリアの候補セルリストを判定し、次いで、セルリスト中のセルが位置するアクセスネットワークデバイス（即ち、第２のアクセスネットワークデバイス）に第１のメッセージを送り得る。任意選択で、第１のメッセージは、第２のアクセスネットワークデバイスの１つ又は複数のセルに関する情報、例えば、セル識別をさらに含んでもよく、第１のアクセスネットワークデバイスは、無線ネットワークエリア中のセルとして１つ又は複数のセルを許容することを第２のアクセスネットワークデバイスに要求する。即ち、第１のメッセージは、（第３のセルセットとして表される）１つのセルセットに関する情報をさらに含んでもよく、第３のセルセットは、第２のアクセスネットワークデバイスについてのものであり、かつ、許容されるようにすることを第１のアクセスネットワークデバイスが要求する１つ又は複数のセルのセットである。
【００７９】
任意選択で、第１のアクセスネットワークデバイスは、最初に、アクセスネットワークデバイスリストを判定し、次いで、アクセスネットワークデバイスリスト中のアクセスネットワークデバイス（即ち、第２のアクセスネットワークデバイス）に第１のメッセージを送り得る。
【００８０】
任意選択で、第１のメッセージが第３のセルセットに関する情報を含まない場合、それは、第２のアクセスネットワークデバイスの全てのセルが要求されることを示す。
【００８１】
任意選択で、第１のアクセスネットワークデバイスは、ネットワーク展開、ネットワークステータス、又は端末のアクティビティステータスなどの情報に基づいて上記のセルリスト又はアクセスネットワークデバイスリストを判定し得る。しかしながら、これは、本出願のこの実施形態では限定されない。
【００８２】
任意選択で、第１のメッセージは、全ての第２のアクセスネットワークデバイスのリストをさらに含み得る。このようにして、端末がその後、アクセスネットワークデバイス上で復元手順を開始した後に、アクセスネットワークデバイスは、端末のコンテキストを解放するようにリスト中のアクセスネットワークデバイスに命令し得る。
【００８３】
任意選択で、第１のメッセージは第１の有効期間情報をさらに含んでもよく、第１の有効期間情報は、端末のコンテキストの有効期間を示す。
【００８４】
特に、第２のアクセスネットワークデバイスが有効期間内に端末の復元要求を受信しない場合、第２のアクセスネットワークデバイスは端末のコンテキストを解放する。例えば、第２のアクセスネットワークデバイスは、持続時間が端末の有効期間であるタイマーを開始し得る。任意選択で、第２のアクセスネットワークデバイスが、有効期間内に、第１のアクセスネットワークデバイスによって送られ、端末に固有の更新された第１のメッセージを受信した場合、第２のアクセスネットワークデバイスはタイマーを再開する。
【００８５】
任意選択で、第１のメッセージは、端末と第１のアクセスネットワークデバイスとの間のキーに基づいて生成された認証コードをさらに含んでもよく、認証コードは、端末が第２のアクセスネットワークデバイスにアクセスするとき、端末を識別するか又は端末を認証するために第２のアクセスネットワークデバイスによって使用される。
【００８６】
任意選択で、第１のメッセージが認証コードを含まない場合、端末が第２のアクセスネットワークデバイス上で復元手順を開始したとき、第２のアクセスネットワークデバイスは、端末を認証するために新しいキー（例えば、端末と第２のアクセスネットワークデバイスとの間のキー）に基づいて認証コードを生成し得る。
【００８７】
任意選択で、第２のアクセスネットワークデバイスが、第１のアクセスネットワークデバイスによって送られた第１のメッセージを受信した後に、第２のアクセスネットワークデバイスは、第２のセルセットを判定することであって、第２のセルセットは、第２のアクセスネットワークデバイスによって許容され、ＲＲＣ非アクティブ状態における端末の無線ネットワークエリアに対応し、第２のアクセスネットワークデバイスのものであるセルのセットである、ことと、第１のアクセスネットワークデバイスに第１のメッセージの第１の応答メッセージを送ることであって、第１の応答メッセージは第２のセルセットに関する情報を含む、こととを行い得る。
【００８８】
第２のセルセットは、第２のアクセスネットワークデバイスによって許容され、無線ネットワークエリアに追加されることが可能であるセルのセットである。例えば、第２のアクセスネットワークデバイスは、負荷ステータスなどの第２のアクセスネットワークデバイスのステータスに基づいて、端末が復元することを可能にされるかどうかを判定するか、又はどのセルが復元されることが可能であるかを判定し得る。任意選択で、第１のメッセージが第３のセルセットに関する情報を含む場合、第２のアクセスネットワークデバイスは、第３のセルセットにおいて、第２のセルセット中のセルを判定し得るか、又は第１のメッセージが第３のセルセットに関する情報を含まない場合、第２のアクセスネットワークデバイスは、第２のアクセスネットワークデバイスの全てのセルから第２のセルセット中のセルを判定し得る。第２のアクセスネットワークデバイスが第２のセルセットを判定した後に、第２のセルセットに関する情報は、第１のアクセスネットワークデバイスに送られる応答メッセージ中に含められ得る。任意選択で、第２のアクセスネットワークデバイスのセルが無線ネットワークエリアに加わることができない場合、第２のアクセスネットワークデバイスによって第１のアクセスネットワークデバイスに送られる応答メッセージは拒否メッセージである。
【００８９】
任意選択で、第２のアクセスネットワークデバイスは、第１のアクセスネットワークデバイスに第１のメッセージの第２の応答メッセージを送ることもあり、第２の応答メッセージは、第２のアクセスネットワークデバイスが無線ネットワークエリアに加わることを許容するか又は拒否することを示す。
【００９０】
特に、第２のアクセスネットワークデバイスが無線ネットワークエリアに加わることを許容した場合、それは、第２のアクセスネットワークデバイスの全てのセルが無線ネットワークエリアに加わることを示すか、又は第２のアクセスネットワークデバイスが無線ネットワークエリアに加わることを拒否した場合、それは、第２のアクセスネットワークデバイスのセルが無線ネットワークエリアに加わらないことを示す。
【００９１】
任意選択で、ステップ２０３において、第１のアクセスネットワークデバイスが、第１のメッセージについてのものであり、かつ第２のアクセスネットワークデバイスによって送られた応答メッセージを受信する。
【００９２】
第１のメッセージの応答メッセージは、第１の応答メッセージ又は第２の応答メッセージであり得る。
【００９３】
任意選択で、第１のアクセスネットワークデバイスが、第１のメッセージについてのものであり、かつ第２のアクセスネットワークデバイスによって送られる第１の応答メッセージを受信したとき、第１のアクセスネットワークデバイスは、第２のセルセットに基づいて第１のセルセットを判定する。
【００９４】
第１のセルセットは第２のセルセットを含む。任意選択で、第１のセルセットは、少なくとも１つの第２のセルセット及び第１のアクセスネットワークデバイスの１つ又は複数のセルを含み得る。この場合、第１のセルセットは、ＲＲＣ非アクティブ状態における端末の無線ネットワークエリアを形成する。任意選択で、第１のセルセットは、少なくとも１つの第２のセルセットのみを含み得る。この場合、第１のセルセット及び第１のアクセスネットワークデバイスの１つ又は複数のセルが無線ネットワークエリアを形成する。
【００９５】
任意選択で、第１のアクセスネットワークデバイスが、第１のメッセージについてのものであり、かつ第２のアクセスネットワークデバイスによって送られる第２の応答メッセージを受信したとき、第１のアクセスネットワークデバイスは、第２の応答メッセージに基づいて第１のアクセスネットワークデバイスセットを判定する。
【００９６】
第１のアクセスネットワークデバイスセットは、無線ネットワークエリアに加わることを許容する少なくとも１つの第２のアクセスネットワークデバイスを含む。任意選択で、第１のアクセスネットワークデバイスセットは、少なくとも１つの第２のアクセスネットワークデバイス及び第１のアクセスネットワークデバイスを含み得る。この場合、第１のアクセスネットワークデバイスセットは無線ネットワークエリアを形成する。任意選択で、第１のアクセスネットワークデバイスセットは、少なくとも１つの第２のアクセスネットワークデバイスのみを含み得る。この場合、第１のアクセスネットワークデバイスセット及び第１のアクセスネットワークデバイスが無線ネットワークエリアを形成する。
【００９７】
２０４．第１のアクセスネットワークデバイスが端末に第２のメッセージを送り、第２のメッセージが、ＲＲＣ非アクティブ状態に入るように端末に命令するために使用される。
【００９８】
端末は、第１のアクセスネットワークデバイスによって送られた第２のメッセージを受信し、第２のメッセージに基づいてＲＲＣ接続状態からＲＲＣ非アクティブ状態に入る。
【００９９】
任意選択で、端末がＲＲＣ非アクティブ状態に入ったとき、端末は、端末が元のＲＲＣ接続状態にあるときに端末が位置するサービングセル中に残る。さらに、端末が複数のサービングセルを有する場合、端末は、サービングセルのうちの１つにキャンプオンするか、又は端末は、端末が第２のメッセージをそれから受信するサービングセルにキャンプオンする。即ち、端末がＲＲＣ非アクティブ状態に入ったとき、端末は、セル選択を実施しないが、端末が元のＲＲＣ接続状態にあるときに端末が位置するサービングセル中に残る。その後、例えば、端末が移動した後に、端末は、セル再選択処理を通して別のセルに変わり、それにより、端末はより高速にＲＲＣ非アクティブ状態に入ることができ、端末の挙動はより制御可能になる。端末がＲＲＣ非アクティブ状態に入ったとき、端末が元のＲＲＣ接続状態にあるときに端末が位置するサービングセル中に端末が残るという解決策は、代替として別々に実装されてよく、即ち、本明細書における別の実施形態に依存することなしに独立した実施形態として実装されてよいことに留意されたい。
【０１００】
任意選択で、第２のメッセージはＲＲＣシグナリングであり得るが、これは、本出願のこの実施形態では限定されない。
【０１０１】
アクセスネットワークデバイスは中央ユニット（ＣＵ）及び分散ユニット（ＤＵ）を含み得ることを理解されたい。アクセスネットワークデバイスによって端末に送られる、ＲＲＣシグナリングなどのメッセージは、ＣＵによって生成され、ＤＵによって端末に送られてもよいし、又はＤＵによって生成され、端末に直接送られてもよい。
【０１０２】
任意選択で、第２のメッセージは、ＲＲＣ非アクティブ状態における端末の無線ネットワークエリアに関する情報を含む。具体的には、ＲＲＣ非アクティブ状態に入るように端末に命令するとき、第１のアクセスネットワークデバイスは、端末の無線ネットワークエリアをも通知する。無線ネットワークエリアに関する情報は、無線ネットワークエリアのセルリストであり得るか、又は無線ネットワークエリアのアクセスネットワークデバイスリストであり得る。
【０１０３】
無線ネットワークエリアは、端末がＲＲＣ非アクティブ状態において無線ネットワークエリア中のセルを再選択したとき、ネットワークを通知しないか、又は無線ネットワークエリアは、端末が無線ネットワークエリア外のセルを再選択したとき、ネットワークを通知する。
【０１０４】
任意選択で、本出願の一実施形態では、無線ネットワークエリアは上記の第１のセルセットを含む。
【０１０５】
この実施形態では、第１のアクセスネットワークデバイスは、端末に無線ネットワークエリアのセルリストを送る。上記で説明されたように、第１のセルセットは、第１のアクセスネットワークデバイスのセルを含んでもよいし、又は第１のアクセスネットワークデバイスのセルを含まなくてもよい。第１のセルセットが第１のアクセスネットワークデバイスのセルを含まないとき、無線ネットワークエリアは、デフォルトで第１のアクセスネットワークデバイスのセルを含み、即ち、端末は、無線ネットワークエリアとして第１のセルセット及び第１のアクセスネットワークデバイスのセル（例えば、第１のアクセスネットワークデバイスの全てのセル、又は１次セル、又は第２のメッセージがそれから受信されるセル）を使用する。
【０１０６】
任意選択で、本出願の別の実施形態では、無線ネットワークエリアは上記の第１のアクセスネットワークデバイスセットを含む。
【０１０７】
この実施形態では、第１のアクセスネットワークデバイスは、端末に無線ネットワークエリアのアクセスネットワークデバイスリストを送る。リスト中の各アクセスネットワークデバイスに対応する全てのセルが無線ネットワークエリア中に含まれる。上記で説明されたように、第１のアクセスネットワークデバイスセットは、第１のアクセスネットワークデバイスを含んでもよいし、又は第１のアクセスネットワークデバイスを含まなくてもよい。第１のアクセスネットワークデバイスセットが第１のアクセスネットワークデバイスを含まないとき、無線ネットワークエリアは、デフォルトで第１のアクセスネットワークデバイスを含み、即ち、端末は、無線ネットワークエリアとして第１のアクセスネットワークデバイスセット及び第１のアクセスネットワークデバイスを使用する。
【０１０８】
任意選択で、第１のアクセスネットワークデバイスは、上記の第１のセルセット又は第１のアクセスネットワークデバイスセットを保存し、即ち、無線ネットワークエリアのセルリスト又はアクセスネットワークデバイスリストを保存する。
【０１０９】
任意選択で、第２のメッセージは信号強度閾値をさらに含み得る。
【０１１０】
無線ネットワークエリア中のセルの信号強度が信号強度閾値以上であるとき、端末は、無線ネットワークエリアにおいてセル交換又はセル再選択を実施する。
【０１１１】
特に、端末は、無線ネットワークエリアにおいてセル交換又は再選択を選択的に実施することができる。例えば、無線ネットワークエリアのセルリスト中のセルの、又はアクセスネットワークデバイスリスト中のアクセスネットワークデバイスの信号強度が信号強度閾値以上であるとき、端末は、これらのセルにおいてセル再選択を選択的に実施する。任意選択で、信号強度閾値は、均一な閾値であり得るか、又はセルレベル閾値であり得る。例えば、閾値は、いくつかのセルのために構成され得る。
【０１１２】
端末はまた、他の情報、例えば、セルの優先順位情報に基づいてセル交換を実施し得ることを理解されたい。これは、本出願のこの実施形態では限定されない。無線ネットワークエリア中のセルが交換条件を満たさず、無線ネットワークエリア外のセルが交換条件を満たす場合、端末は、無線ネットワークエリア外のセルに切り替えられてもよいことをさらに理解されたい。
【０１１３】
任意選択で、第２のメッセージは第２の有効期間情報をさらに含んでもよいし、第２の有効期間情報は、端末がその間にＲＲＣ接続状態に復元されることが可能である有効期間を示す。
【０１１４】
有効期間は、端末が復元を実施することができる時間期間、又は端末のコンテキストがその間に保存される有効期間である。有効期間の後に、端末は、もはや復元されることが可能でないか、又は保存されたコンテキストを削除し、アイドル状態に入る必要がある。端末が接続状態に入る必要があるとき、端末は、初期アクセスを開始し、初期アクセスを開始する方式で接続状態に入ることができる。任意選択で、有効期間は、タイマーによって概して達成される。第２の有効期間を含む第２のメッセージを受信した後に、端末は、タイマーを開始し、タイマーが満了するかどうかを判定することによって有効期間を判定する。
【０１１５】
任意選択で、第２のメッセージは、キーを生成するために使用されるランダム値及び／又はＮＣＣをさらに含み得る。
【０１１６】
特に、ランダム値に基づいて新しいキーが生成される場合、第２のメッセージは、新しいキーを導出するために使用されるランダム値を搬送する。第１のアクセスネットワークデバイスが（第１のアクセスネットワークデバイスと端末との間で使用されるキーに基づかないで）ＮＨに基づいて新しいキーを導出する場合、第２のメッセージはＮＣＣを搬送し、それにより、端末は、ランダム値及び／又はＮＣＣに基づいてより早く新しいキーを導出することができ、接続状態への端末の復元中にセキュリティ保護のために新しいキーを使用するデータを送り、それにより、データ遅延を低減することができる。本解決策は、本明細書における別の実施形態に依存することなしに独立した実施形態として使用されてもよいことに留意されたい。
【０１１７】
本出願のこの実施形態では、端末がＲＲＣ非アクティブ状態に入る必要があることを決定したとき、第１のアクセスネットワークデバイスは、第２のアクセスネットワークデバイスに端末のコンテキストを送る。このようにして、端末が、第２のアクセスネットワークデバイスに、ＲＲＣ非アクティブ状態に復元されることを要求したとき、第２のアクセスネットワークデバイスは、もはや第１のアクセスネットワークデバイスから端末のコンテキストを取得する必要がなく、それゆえに、ＲＲＣ非アクティブ状態からＲＲＣ接続状態に端末を復元するための時間が低減されることが可能であり、そのうえ、データ送信遅延が低減されることが可能である。
【０１１８】
本出願のこの実施形態における様々なメッセージ中に含まれる情報は、１つのメッセージ中で送られてもよいし、又は複数のメッセージ中で別々に送られてもよいことを理解されたい。これは、本出願のこの実施形態では限定されない。
【０１１９】
図２に示されている実施形態では、第１のアクセスネットワークデバイスは、最初に、第２のアクセスネットワークデバイスに端末のコンテキストを送り、次いで、ＲＲＣ非アクティブ状態に入るように端末に命令する。このようにして、第１のアクセスネットワークデバイスは、第２のアクセスネットワークデバイスの応答メッセージに基づいて端末の無線ネットワークエリアを判定し得る。この場合、判定された無線ネットワークエリア中に含まれるセルは、第２のアクセスネットワークデバイスによって許容されたセルであり、それにより、端末が復元されることに失敗する確率が低減する。任意選択で、本出願の別の実施形態では、第１のアクセスネットワークデバイスは、最初に、ＲＲＣ非アクティブ状態に入るように端末に命令し、次いで、第２のアクセスネットワークデバイスに端末のコンテキストを送り得る。この場合、第１のアクセスネットワークデバイスは、それ自体によって端末の無線ネットワークエリアを判定し得る。以下で、図３を参照しながらこの実施形態について説明する。
【０１２０】
図３は、本出願の別の実施形態による通信方法の概略フローチャートである。以下の説明に加えて、図３に示されている実施形態の他の説明については、図２に示されている実施形態を参照されたい。簡潔のために、詳細について以下で再び説明されない。
３０１．第１のアクセスネットワークデバイスが、端末がＲＲＣ非アクティブ状態に入る必要があることを決定する。
【０１２１】
任意選択で、ステップ３０２において、第１のアクセスネットワークデバイスが、ＲＲＣ非アクティブ状態における端末の無線ネットワークエリアを判定する。
【０１２２】
この実施形態では、第１のアクセスネットワークデバイスは、それ自体によって無線ネットワークエリアを判定し得る。上記の実施形態と同様に、第１のアクセスネットワークデバイスは、無線ネットワークエリアのセルリスト又はアクセスネットワークデバイスリストを判定し得る。上記の実施形態とは異なり、セルリスト又はアクセスネットワークデバイスリストは、第２のアクセスネットワークデバイスの応答メッセージに基づいて判定される必要はなく、第１のアクセスネットワークデバイス自体によって判定され得る。例えば、第１のアクセスネットワークデバイスは、ネットワーク展開、ネットワークステータス、又は端末のアクティビティステータスなどの情報に基づいて無線ネットワークエリアを判定し得る。
【０１２３】
３０３．第１のアクセスネットワークデバイスが端末に第２のメッセージを送り、第２のメッセージが、ＲＲＣ非アクティブ状態に入るように端末に命令するために使用される。
【０１２４】
任意選択で、第２のメッセージは、ステップ３０２において判定された無線ネットワークエリアを含み得る。
【０１２５】
３０４．第１のアクセスネットワークデバイスが第２のアクセスネットワークデバイスに第１のメッセージを送り、第１のメッセージが端末のコンテキストを含み、端末のコンテキストが、ＲＲＣ非アクティブ状態からＲＲＣ接続状態に復元するために端末によって使用される。
【０１２６】
上記の実施形態とは異なり、この実施形態では、第２のアクセスネットワークデバイスは、無線ネットワークエリアに加わることを拒否することができない。
【０１２７】
端末がＲＲＣ接続状態からＲＲＣ非アクティブ状態に入った後に、端末がその後、ＲＲＣ接続状態に復元される必要がある場合、例えば、端末がアップリンクデータを送る必要があるか、又はネットワークが端末をページングする場合、端末及びアクセスネットワークデバイスは、端末の保存されたコンテキストに基づいてＲＲＣ接続状態に端末を迅速に復元し得る。以下で、図４及び図５を参照しながら復元手順について説明する。
【０１２８】
図４は、本出願のさらに別の実施形態による通信方法の概略フローチャートである。
【０１２９】
この実施形態では、端末は、ＲＲＣ非アクティブ状態から第２のアクセスネットワークデバイスのＲＲＣ接続状態に復元される。図４の第１のアクセスネットワークデバイスは、端末の元のサービングアクセスネットワークデバイスであり、第３のアクセスネットワークデバイスは、端末の無線ネットワークエリアに対応するアクセスネットワークデバイス中の別のアクセスネットワークデバイスを示す。
【０１３０】
端末が元のサービングアクセスネットワークデバイスにおいてなお復元される場合、この実施形態における第２のアクセスネットワークデバイスは第１のアクセスネットワークデバイスであり、対応して、第２のアクセスネットワークデバイスと第１のアクセスネットワークデバイスとの間の対話手順は必要とされないことを理解されたい。加えて、無線ネットワークエリアに対応するアクセスネットワークデバイスが第１のアクセスネットワークデバイス及び第２のアクセスネットワークデバイスのみを含む場合、第３のアクセスネットワークデバイスは必要とされない。
【０１３１】
４０１．第２のアクセスネットワークデバイスが、端末によって送られた第４のメッセージを受信する。
【０１３２】
第４のメッセージは、ＲＲＣ非アクティブ状態からＲＲＣ接続状態への復元を要求するために使用される。例えば、第４のメッセージは復元要求であり得る。ＲＲＣ非アクティブ状態における端末がＲＲＣ接続状態に復元される必要がある場合、例えば、端末がアップリンクデータを送る必要があるか、又はネットワークが端末をページングする場合、端末は、ＲＲＣ接続状態に復元されることを要求するために、端末が現在位置するセルのアクセスネットワークデバイス、即ち、第２のアクセスネットワークデバイスに第４のメッセージを送る。第４のメッセージは端末の識別子を搬送し得る。
【０１３３】
４０２．第２のアクセスネットワークデバイスが、端末のコンテキストに基づいてＲＲＣ非アクティブ状態からＲＲＣ接続状態に端末を復元する。
【０１３４】
端末によって送られた第４のメッセージを受信した後に、第２のアクセスネットワークデバイスは、端末の識別子に基づいて端末のコンテキストについて第２のアクセスネットワークデバイスを探索し得る。第２のアクセスネットワークデバイスは事前に端末のコンテキストを取得しているので、第２のアクセスネットワークデバイスは、端末のコンテキストに基づいてＲＲＣ非アクティブ状態からＲＲＣ接続状態に端末を直接復元し得る。加えて、第２のアクセスネットワークデバイスは、端末に対応するアクセスネットワークとコアネットワークとの間で接続（例えば、Ｓ１接続）を切り替える、即ち、第１のアクセスネットワークデバイスから第２のアクセスネットワークデバイスに接続のアクセスネットワークエンドを切り替える。次いで、端末は、第２のアクセスネットワークデバイスとの対応するデータ送信を実施する。
【０１３５】
４０３．第２のアクセスネットワークデバイスが、第１のアクセスネットワークデバイスに、端末が接続状態に入ることを示す通知を送る。
【０１３６】
端末が接続状態に入った後に、第２のアクセスネットワークデバイスは、第１のアクセスネットワークデバイスに、端末が接続状態に入ることを示す通知を送ってもよく、それにより、第１のアクセスネットワークデバイスは端末のコンテキストを解放する。
【０１３７】
４０４．第１のアクセスネットワークデバイスが端末のコンテキストを解放する。
【０１３８】
端末が接続状態に入ることを示す通知メッセージを受信したとき、第１のアクセスネットワークデバイスは、端末が接続状態に復元されたと判定し、それによって、端末のコンテキストを解放する。
【０１３９】
４０５．第１のアクセスネットワークデバイスが、第３のアクセスネットワークデバイスに、端末のコンテキストを解放するための通知を送る。
【０１４０】
端末は接続状態に復元されたので、端末及び無線ネットワークエリアの元のコンテキストはもはや有効でなく、第１のアクセスネットワークデバイスは、無線ネットワークエリア中の別のアクセスネットワークデバイスに、端末のコンテキストを解放するための通知を送り、それにより、別のアクセスネットワークデバイスも端末のコンテキストを解放する。
【０１４１】
任意選択で、第２のアクセスネットワークデバイスが、無線ネットワークエリアに対応するアクセスネットワークデバイスリストを有する場合、例えば、リストが上記の第１のメッセージ中で搬送され、第２のアクセスネットワークデバイスに送られ得る場合、ステップ４０５は、以下のステップ４０６と置き換えられてよい。
【０１４２】
４０６．第２のアクセスネットワークデバイスが、第３のアクセスネットワークデバイスに、端末のコンテキストを解放するための通知を送る。
【０１４３】
４０７．第３のアクセスネットワークデバイスが端末のコンテキストを解放する。
【０１４４】
任意選択で、端末が、第１のアクセスネットワークデバイスに、ＲＲＣ非アクティブ状態からＲＲＣ接続状態に復元されることを要求した場合、第１のアクセスネットワークデバイスは、端末のコンテキストに基づいてＲＲＣ非アクティブ状態からＲＲＣ接続状態に端末を直接復元し得る。加えて、第１のアクセスネットワークデバイスは、端末の無線ネットワークエリア中の別のアクセスネットワークデバイスに、端末のコンテキストを解放するための通知を送り、それにより、別のアクセスネットワークデバイスも端末のコンテキストを解放する。
【０１４５】
任意選択で、各アクセスネットワークデバイスは、端末のコンテキストの有効期間に基づいてタイマーを設定し得る。タイマーが満了する前に、端末の復元要求が受信されないか、又は別のアクセスネットワークデバイスによって送られた、端末が接続状態に入ることを示す通知が受信されないか、若しくは別のアクセスネットワークデバイスによって送られた、端末のコンテキストを解放するために使用される通知が受信されない場合、端末のコンテキストは、タイマーが満了したときに解放される。
【０１４６】
例えば、第１のアクセスネットワークデバイスは、端末に上記の第２のメッセージを送った後にタイマーを開始してもよく、第２のアクセスネットワークデバイスは、端末のコンテキストを保存した後にタイマーを開始してもよい。任意選択で、端末をページングするとき、第１のアクセスネットワークデバイスは、端末をページングするためのページングメッセージを送った後にタイマーを開始し得る。
【０１４７】
図５は、本出願のさらに別の実施形態による通信方法の概略フローチャートである。この実施形態は、端末がページングされるときの手順であり、図４に示されている実施形態の特殊な場合である。以下の説明に加えて、図５に示されている実施形態の他の説明については、図４に示されている実施形態を参照されたい。簡潔のために、詳細について以下で再び説明されない。
【０１４８】
５０１．第１のアクセスネットワークデバイスが、第２のアクセスネットワークデバイス及び第３のアクセスネットワークデバイスに端末をページングすることを要求するためのページング要求メッセージを送る。
【０１４９】
ＲＲＣ非アクティブ状態における端末がページングされる必要があるとき、第１のアクセスネットワークデバイスは、ＲＲＣ非アクティブ状態における端末の無線ネットワークエリア中の他のアクセスネットワークデバイス、即ち、図５の第２のアクセスネットワークデバイス及び第３のアクセスネットワークデバイスにページング要求メッセージを送る。
【０１５０】
無線ネットワークエリアに対応するアクセスネットワークデバイスが第１のアクセスネットワークデバイス及び第２のアクセスネットワークデバイスのみを含む場合、第３のアクセスネットワークデバイスは必要とされないことを理解されたい。
【０１５１】
任意選択で、ページング要求メッセージは、各アクセスネットワークデバイスについてのものであり、かつ無線ネットワークエリアに対応するセルに関する情報、例えば、アクセスネットワークデバイスの第４のセルセットに関する情報を含んでもよく、第４のセルセット中の全てのセルにおいて、端末をページングするためのページングメッセージを送るようにアクセスネットワークデバイスに命令するために使用される。
【０１５２】
加えて、第１のアクセスネットワークデバイスは、第１のアクセスネットワークデバイスについてのものであり、かつ無線ネットワークエリアに対応するセルにおいて、端末をページングするためのページングメッセージを送る。
【０１５３】
任意選択で、ステップ５０２において、第１のアクセスネットワークデバイスがタイマーを開始する。
【０１５４】
５０３．第２のアクセスネットワークデバイス及び第３のアクセスネットワークデバイスが、端末をページングするためのページングメッセージを送る。
【０１５５】
端末をページングすることを要求するために使用され、第１のアクセスネットワークデバイスによって送られたページング要求メッセージを受信した後に、第２のアクセスネットワークデバイス及び第３のアクセスネットワークデバイスは、ページング要求メッセージに基づいて、端末をページングするためのページングメッセージを送る。
【０１５６】
任意選択で、アクセスネットワークデバイスについてのものであり、かつ無線ネットワークエリアに対応するセルリストが、各アクセスネットワークデバイスに記憶されている場合、ページングメッセージは、セルリストに基づいてセルリスト中のセルにおいてのみ送られて、より正確なページングが実装され、エアインターフェースリソースが節約され得る。
【０１５７】
任意選択で、ページング要求メッセージがセルリストを含む場合、ページングメッセージは、ページング要求メッセージ中に含まれるセルリストに基づいてセルリスト中のセルにおいてのみ送られて、より正確なページングが実装され、エアインターフェースリソースが節約され得る。
【０１５８】
任意選択で、端末が第２のアクセスネットワークデバイスのセル中に現在位置する場合、以下の手順が実施される。
【０１５９】
５０４．第２のアクセスネットワークデバイスが、端末によって送られた第４のメッセージを受信する。
【０１６０】
端末が第２のアクセスネットワークデバイスのセル中に現在位置する場合、ページングメッセージを受信した後に、端末は、第２のアクセスネットワークデバイスに第４のメッセージを送る。後続のステップ５０５から５１０は、図４のステップ４０２から４０７と同様であり、再び説明されない。加えて、任意選択で、端末が接続状態に復元されたと判定した後に、第１のアクセスネットワークデバイスはタイマーを停止し得る。
【０１６１】
任意選択で、ページング失敗のために、以下の手順を実施する。
【０１６２】
５１１．第１のアクセスネットワークデバイスのタイマーが満了する。
【０１６３】
具体的には、第１のアクセスネットワークデバイスは、所定の時間期間内に、端末によって送られたページング応答、又は端末が接続状態に入ることを示し、別のアクセスネットワークデバイスによって送られた通知を受信しない。
【０１６４】
５１２．第１のアクセスネットワークデバイスがコアネットワークデバイスに第３のメッセージを送る。
【０１６５】
第３のメッセージは、接続解放要求又は通知メッセージであってもよく、端末のアクセスネットワークと端末のコアネットワークとの間の接続（例えば、Ｓ１接続）を解放することをコアネットワークデバイスに要求又は命令するために使用される。任意選択で、搬送される原因値は無線アクセスネットワークページング失敗であり得る。
【０１６６】
接続が解放された後に、その後（必要な場合）、コアネットワークは、端末をページングするのを助けるためにより広い範囲で端末をページングするためのページングをトリガし得る。
【０１６７】
ページング失敗の場合に第１のアクセスネットワークデバイスによって第３のメッセージを送る上記の解決策は別々に実装され得ることを理解されたい。即ち、本解決策は他の特徴に依存しないことが可能である。例えば、ページング失敗の前の全ての手順は、本出願のこの実施形態において提供される解決策を使用することによって実装され得るか、又は別の解決策を使用することによって実装され得る。ページング失敗が起こったとき、第３のメッセージは、端末のアクセスネットワークとコアネットワークとの間の接続を解放することをコアネットワークデバイスに要求又は命令するためにコアネットワークデバイスに送られる。接続を解放した後に、コアネットワークデバイスは、より広い範囲で、例えば、端末のトラッキングエリア中で端末をページングし得る。
【０１６８】
接続を解放した後に、コアネットワークデバイスは、第１のアクセスネットワークデバイスに第３のメッセージの応答メッセージを送ってもよく、第３のメッセージの応答メッセージは、端末のアクセスネットワークとコアネットワークとの間の接続が解放されたことを示す。
【０１６９】
５１３．第１のアクセスネットワークデバイスが端末のコンテキストを解放する。
【０１７０】
５１４．第１のアクセスネットワークデバイスが、第２のアクセスネットワークデバイス及び第３のアクセスネットワークデバイスに、端末のコンテキストを解放するための通知を送る。
【０１７１】
５１５．第２のアクセスネットワークデバイス及び第３のアクセスネットワークデバイスが端末のコンテキストを解放する。
【０１７２】
ページングが失敗するか又は端末が接続状態に入った後に、アクセスネットワークデバイスの負荷は、適時に端末のコンテキストを解放することによって低減されることが可能である。
【０１７３】
本出願の実施形態で述べられるセルセット情報は、少なくとも１つのセル識別を含むセットであってもよいし、又はセルセットの識別子であってもよく、セルセットの識別子とセット中のセルとの間にマッピング関係があることに留意されたい。これは、本出願のこの実施形態では限定されない。
【０１７４】
上記の処理のシーケンス番号は、本出願の様々な実施形態における実行シーケンスを意味しないことを理解されたい。処理の実行シーケンスは、処理の機能及び内部論理に従って判定されるべきであり、本出願の実施形態の実装処理に対するいかなる限定ともならない。
【０１７５】
本明細書で説明される様々な実施形態は、組合せにおいて又は別々に実装され得ることを理解されたい。
【０１７６】
本出願の実施形態における特定の例は、当業者が本出願の実施形態をより良く理解するのを助けるものにすぎず、本出願の実施形態の範囲を限定するものではないことを理解されたい。
【０１７７】
上記で、本出願の実施形態における通信方法について詳細に説明した。以下で、本出願の実施形態におけるアクセスネットワークデバイス及び端末について説明する。本出願の実施形態におけるアクセスネットワークデバイス及び端末は、本出願の上記の実施形態における様々な方法を実施してもよく、即ち、以下のデバイスの詳細な動作処理については、上記の方法実施形態における対応する処理を参照されたいことを理解されたい。
【０１７８】
図６は、本出願の一実施形態によるアクセスネットワークデバイス６００の概略ブロック図である。アクセスネットワークデバイス６００は、上記の方法実施形態におけるアクセスネットワークデバイス、例えば、第１のアクセスネットワークデバイスであり得る。図６に示されているように、アクセスネットワークデバイス６００は、
端末が無線リソース制御ＲＲＣ非アクティブ状態に入る必要があることを決定するように構成されたプロセッサ６１０であって、アクセスネットワークデバイスは端末のサービングアクセスネットワークデバイスである、プロセッサ６１０と、
トランシーバ６２０であって、第２のアクセスネットワークデバイスに第１のメッセージを送ることであって、第１のメッセージは端末のコンテキストを含む、ことと、端末に第２のメッセージを送ることであって、第２のメッセージは、ＲＲＣ非アクティブ状態に入るように端末に命令するために使用される、こととを行うように構成された、トランシーバ６２０とを含む。
【０１７９】
任意選択で、第２のメッセージは、ＲＲＣ非アクティブ状態における端末の無線ネットワークエリアに関する情報を含む。
【０１８０】
無線ネットワークエリアは、端末がＲＲＣ非アクティブ状態において無線ネットワークエリア中のセルを再選択したとき、ネットワークを通知しないために使用されるか、又は無線ネットワークエリアは、端末が無線ネットワークエリア外のセルを再選択したとき、ネットワークを通知するために使用される。
【０１８１】
任意選択で、無線ネットワークエリアは第１のセルセットを含む。
【０１８２】
トランシーバ６２０は、第１のメッセージについてのものであり、かつ第２のアクセスネットワークデバイスによって送られる第１の応答メッセージを受信するようにさらに構成され、第１の応答メッセージは第２のセルセットに関する情報を含み、第２のセルセットは、第２のアクセスネットワークデバイスについての１つ又は複数のセルを含むセットである。
【０１８３】
プロセッサ６１０は、第２のセルセットに基づいて第１のセルセットを判定するようにさらに構成され、第１のセルセットは第２のセルセットを含む。
【０１８４】
任意選択で、無線ネットワークエリアは第１のアクセスネットワークデバイスセットを含む。
【０１８５】
トランシーバ６２０は、第１のメッセージについてのものであり、かつ第２のアクセスネットワークデバイスによって送られる第２の応答メッセージを受信するようにさらに構成され、第２の応答メッセージは、第２のアクセスネットワークデバイスが無線ネットワークエリアに加わることを許容するか又は拒否することを示す。
【０１８６】
プロセッサ６１０は、第２の応答メッセージに基づいて第１のアクセスネットワークデバイスセットを判定するようにさらに構成され、第１のアクセスネットワークデバイスセットは、無線ネットワークエリアに加わることを許容する少なくとも１つの第２のアクセスネットワークデバイスを含む。
【０１８７】
任意選択で、トランシーバ６２０は、端末が接続状態に入ることを示す通知メッセージを受信するようにさらに構成される。
【０１８８】
プロセッサ６１０は、端末のコンテキストを解放するようにさらに構成される。
【０１８９】
トランシーバ６２０は、ＲＲＣ非アクティブ状態における端末の無線ネットワークエリアに対応するアクセスネットワークデバイス中のアクセスネットワークデバイス以外のアクセスネットワークデバイスに、端末のコンテキストを解放するための通知を送るようにさらに構成される。
【０１９０】
任意選択で、トランシーバ６２０は、ＲＲＣ非アクティブ状態における端末がページングされる必要があるとき、アクセスネットワークデバイスについてのものであり、かつＲＲＣ非アクティブ状態における端末の無線ネットワークエリアに対応するセルにおいて、端末をページングするための第１のページングメッセージを送ることと、第３のアクセスネットワークデバイスに端末をページングすることを要求するためのページング要求メッセージを送ることであって、第３のアクセスネットワークデバイスは、無線ネットワークエリアに対応するアクセスネットワークデバイス中のアクセスネットワークデバイス以外のアクセスネットワークデバイスである、こととを行うようにさらに構成される。
【０１９１】
本出願のこの実施形態におけるアクセスネットワークデバイス６００は、本出願の実施形態における通信方法における第１のアクセスネットワークデバイスに対応してもよく、アクセスネットワークデバイス６００中のモジュールの上記及び他の動作及び／又は機能は、本方法の対応する手順を実施するために別々に使用される。簡潔のために、詳細についてここで再び説明されない。
【０１９２】
図７は、本出願の一実施形態によるアクセスネットワークデバイス７００の概略ブロック図である。アクセスネットワークデバイス７００は、上記の方法実施形態におけるアクセスネットワークデバイス、例えば、第２のアクセスネットワークデバイスであり得る。図７に示されているように、アクセスネットワークデバイス７００は、
トランシーバ７１０であって、第１のアクセスネットワークデバイスによって送られた第１のメッセージを受信することであって、第１のメッセージは端末のコンテキストを含み、第１のアクセスネットワークデバイスは端末のサービングアクセスネットワークデバイスである、ことと、端末によって送られた第４のメッセージを受信することであって、第４のメッセージは、無線リソース制御ＲＲＣ非アクティブ状態からＲＲＣ接続状態への復元を要求するために使用される、こととを行うように構成された、トランシーバ７１０と、
端末のコンテキストに基づいてＲＲＣ非アクティブ状態からＲＲＣ接続状態に端末を復元するように構成されたプロセッサ７２０とを含む。
【０１９３】
任意選択で、プロセッサ７２０は、第２のセルセットを判定するようにさらに構成され、第２のセルセットは、アクセスネットワークデバイスによって許容され、ＲＲＣ非アクティブ状態における端末の無線ネットワークエリアに対応し、アクセスネットワークデバイスのものであるセルのセットである。
【０１９４】
トランシーバ７１０は、第１のアクセスネットワークデバイスに第１のメッセージの第１の応答メッセージを送るようにさらに構成され、第１の応答メッセージは第２のセルセットを含む。
【０１９５】
本出願のこの実施形態におけるアクセスネットワークデバイス７００は、本出願の実施形態における通信方法における第２のアクセスネットワークデバイスに対応してもよく、アクセスネットワークデバイス７００中のモジュールの上記及び他の動作及び／又は機能は、本方法の対応する手順を実施するために別々に使用される。簡潔のために、詳細についてここで再び説明されない。
【０１９６】
図８は、本出願の一実施形態による端末８００の概略ブロック図である。端末８００は、上記の方法実施形態における端末であり得る。図８に示されているように、端末８００は、
第１のアクセスネットワークデバイスによって送られた第２のメッセージを受信するように構成されたトランシーバ８１０であって、第２のメッセージは、無線リソース制御ＲＲＣ非アクティブ状態に入るように端末に命令するために使用され、第２のメッセージは、ＲＲＣ非アクティブ状態における端末の無線ネットワークエリアを含み、第１のアクセスネットワークデバイスは端末のサービングアクセスネットワークデバイスであり、無線ネットワークエリアは、第２のアクセスネットワークデバイス又は第２のアクセスネットワークデバイスのセルを含み、第２のアクセスネットワークデバイスは、端末のコンテキストを受信するアクセスネットワークデバイスであり、端末のコンテキストは、ＲＲＣ非アクティブ状態からＲＲＣ接続状態に復元するために端末によって使用される、トランシーバ８１０と、
第２のメッセージに基づいてＲＲＣ接続状態からＲＲＣ非アクティブ状態に入るように構成されたプロセッサ８２０とを含む。
【０１９７】
任意選択で、第２のメッセージは信号強度閾値をさらに含む。
【０１９８】
プロセッサ８２０は、無線ネットワークエリア中のセルの信号強度が信号強度閾値以上であるとき、無線ネットワークエリアにおいてセル交換を実施するようにさらに構成される。
【０１９９】
任意選択で、プロセッサ８２０は、端末がＲＲＣ非アクティブ状態に入ったとき、端末が元のＲＲＣ接続状態にあるときに端末が位置するセル中に残るように構成される。
【０２００】
任意選択で、トランシーバ８１０は、第２のアクセスネットワークデバイスに第４のメッセージを送るようにさらに構成され、第４のメッセージは、ＲＲＣ非アクティブ状態からＲＲＣ接続状態への復元を要求するために使用される。
【０２０１】
プロセッサ８２０は、端末のコンテキストに基づいて、第２のアクセスネットワークデバイスのセルにおいてＲＲＣ非アクティブ状態からＲＲＣ接続状態に端末を復元するようにさらに構成される。
【０２０２】
本出願のこの実施形態における端末８００は、本出願の実施形態における通信方法における端末に対応してもよく、端末８００中のモジュールの上記及び他の動作及び／又は機能は、本方法の対応する手順を実施するために別々に使用される。簡潔のために、詳細についてここで再び説明されない。
【０２０３】
図９は、少なくとも１つのプロセッサ９０２（例えば、ＣＰＵ）、少なくとも１つのネットワークインターフェース９０５又は別の通信インターフェース、及びメモリ９０６を含む、本出願のさらに別の実施形態によるアクセスネットワークデバイスの構造を示す。これらの構成要素は互いに通信接続している。プロセッサ９０２は、メモリ９０６に記憶された、コンピュータプログラムなどの実行可能モジュールを実行するように構成される。メモリ９０６は、高速ランダムアクセスメモリ（ＲＡＭ）を含み得るか、又は不揮発性メモリ、例えば、少なくとも１つの磁気ディスクメモリをさらに含み得る。メモリ９０６と少なくとも１つの他のネットワーク要素との間の通信接続は、（ワイヤード又はワイヤレスであり得る）少なくとも１つのネットワークインターフェース９０５を使用することによって実装される。
【０２０４】
いくつかの実装では、メモリ９０６はプログラム９０６１を記憶し、プロセッサ９０２は、プログラム９０６１を実行して本出願の上記の実施形態における方法を実施する。
【０２０５】
図１０は、少なくとも１つのプロセッサ１００２（例えば、ＣＰＵ）、少なくとも１つのネットワークインターフェース１００５又は別の通信インターフェース、及びメモリ１００６を含む、本出願のさらに別の実施形態による端末の構造を示す。これらの構成要素は互いに通信接続している。プロセッサ１００２は、メモリ１００６に記憶された、コンピュータプログラムなどの実行可能モジュールを実行するように構成される。メモリ１００６は、高速ランダムアクセスメモリ（ＲＡＭ）を含み得るか、又は不揮発性メモリ、例えば、少なくとも１つの磁気ディスクメモリをさらに含み得る。メモリ１００６と少なくとも１つの他のネットワーク要素との間の通信接続は、（ワイヤード又はワイヤレスであり得る）少なくとも１つのネットワークインターフェース１００５を使用することによって実装される。
【０２０６】
いくつかの実装では、メモリ１００６はプログラム１００６１を記憶し、プロセッサ１００２は、プログラム１００６１を実行して本出願の上記の実施形態における方法を実施する。
【０２０７】
本出願の実施形態における「及び／又は」という用語は、関連する対象について記述するための関連付け関係のみについて記述し、３つの関係が存在し得ることを表すことを理解されたい。例えば、Ａ及び／又はＢは、Ａのみが存在する、ＡとＢの両方が存在する、及びＢのみが存在するという、３つの場合を表し得る。加えて、本明細書における「／」という文字は、関連する対象間の「又は」関係を概して示す。
【０２０８】
当業者は、本明細書で開示される実施形態において説明される例と組み合わせて、電子ハードウェア又はコンピュータソフトウェアと電子ハードウェアの組合せによってユニット及びアルゴリズムステップが実装され得ることに気づいているであろう。機能がハードウェアによって実施されるのか、又はソフトウェアによって実施されるのかは、特定の適用例及び技術的解決策の設計制約条件に依存する。当業者は、特定の適用例ごとに説明される機能を実現するために異なる方法を使用し得るが、実装が本出願の範囲を越えると考えられるべきではない。
【０２０９】
便宜的で簡潔な説明のために、上記のシステム、装置、及びユニットの詳細な動作処理については、上記の方法実施形態における対応する処理を参照されたく、詳細についてここで再び説明されないことが当業者によって明確に理解されよう。
【０２１０】
本出願において提供されるいくつかの実施形態では、開示されるシステム、装置、及び方法は、他の方式で実装され得ることを理解されたい。例えば、説明された装置実施形態は例にすぎない。例えば、ユニット分割は論理的機能分割にすぎず、実際の実装では他の分割であり得る。例えば、複数のユニット又は構成要素が別のシステムに組み合わされるか若しくは統合されてもよいし、又は、いくつかの特徴が無視されるか又は実施されなくてもよい。加えて、表示又は説明された相互結合又は直接結合又は通信接続は、いくつかのインターフェースを使用することによって実装され得る。装置又はユニット間の間接結合又は通信接続は、電子的な形態、機械的な形態、又は他の形態で実装され得る。
【０２１１】
別個の部分として説明されたユニットは、物理的に別個であってもよいし、そうでなくてもよく、ユニットとして表示された部分は、物理ユニットであってもよいし、そうでなくてもよく、１つの位置に配置されてもよいし、又は複数のネットワークユニット上に分散されてもよい。ユニットの一部又は全部は、実施形態の解決策の目的を達成するために実際の要件に基づいて選択され得る。
【０２１２】
加えて、本出願の実施形態における機能ユニットが１つの処理ユニットへと統合されてもよいし、又はユニットの各々が物理的に単独で存在してもよい、又は２つ以上のユニットが１つのユニットへと統合される。
【０２１３】
機能が、ソフトウェア機能ユニットの形態で実装され、独立した製品として販売又は使用されるとき、機能は、コンピュータ可読記憶媒体中に記憶され得る。そのような理解に基づいて、本質的に本出願の技術的解決策、又は従来技術に寄与する部分、又は技術的解決策の一部は、ソフトウェア製品の形態で実装され得る。コンピュータソフトウェア製品は、記憶媒体に記憶され、本出願の実施形態において説明される方法のステップの全部又は一部を実施するように（パーソナルコンピュータ、サーバ、ネットワークデバイスなどであり得る）コンピュータデバイスに命令するためのいくつかの命令を含む。上記の記憶媒体は、ＵＳＢフラッシュドライブ、リムーバブルハードディスク、読取り専用メモリ（ＲＯＭ）、ランダムアクセスメモリ（ＲＡＭ）、磁気ディスク、又は光ディスクなど、プログラムコードを記憶することができる任意の媒体を含む。
【０２１４】
上記の説明は本出願の特定の実装にすぎず、本出願の保護範囲を限定するものではない。本出願において開示される技術範囲内で当業者によって容易に理解されるいかなる変形形態又は置換形態も、本出願の保護範囲内に入るものである。従って、本出願の保護範囲は、特許請求の範囲の保護範囲に従わなければならないものである。
【図１】
0006910445.tif 000002
【図２】
0006910445.tif 000003
【図３】
0006910445.tif 000004
【図４】
0006910445.tif 000005
【図５】
0006910445.tif 000006
【図６】
0006910445.tif 000007
【図７】
0006910445.tif 000008
【図８】
0006910445.tif 000009
【図９】
0006910445.tif 000010
【図１０】
0006910445.tif 000011